(57)【特許請求の範囲】
【請求項１】
開口部が設けられたカウンターと、上端外周にフランジ部を備え、前記カウンターの開口部に装着されている金属製のシンクとを有するキッチンカウンター構造であって、
前記カウンターの開口部の内周縁と前記シンクのフランジ部とが対向配置され、相互の間には、常温硬化型樹脂が充填された目地部が形成されているとともに、目地部とフランジ部との当接部には、水膨張性樹脂が埋設されていることを特徴とするキッチンカウンター構造。
【請求項２】
前記フランジ部は、水平部と、この水平部の端部から下向きに延びる折り返し片とを有し、この折り返し片の外周面の上端部より下方に水膨張性樹脂が固着されて埋設されていることを特徴とする請求項１に記載のキッチンカウンター構造。
【請求項３】
開口部が設けられたカウンターと、上端外周にフランジ部を備え、前記カウンターの開口部に装着されている金属製のシンクとを有するキッチンカウンター構造の形成方法であって、
（１）前記シンクのフランジ部の外周面に水膨張性樹脂を固着する工程と、
（２）前記カウンターの開口部の内周縁と前記フランジ部とが隙間を介して対向するように前記カウンターの開口部に前記シンクを収納し、前記隙間に常温硬化型樹脂を充填して、前記水膨張性樹脂を内包する目地部を形成する工程とを含むことを特徴とするキッチンカウンター構造の形成方法。
【請求項４】
前記フランジ部は、水平部と、この水平部の端部から下向きに延びる折り返し片とを有し、前記工程（１）において、前記折り返し片の外周面の上端部より下方に水膨張性樹脂を固着することを特徴とする請求項３に記載のキッチンカウンター構造の形成方法。
【発明の詳細な説明】
【技術分野】
【０００１】
本発明は、キッチンカウンター構造およびキッチンカウンター構造の形成方法に関する。
【背景技術】
【０００２】
本出願人は、これまでに、様々なキッチンカウンターを提案している。例えば、特許文献１では、カウンターと、カウンターに形成した開口部に収納されたシンクのフランジ部とを接合固着させてなるキッチンカウンターを提案している。このキッチンカウンターでは、カウンターとシンクの表面側を、隙間を介して面一に整合させ、裏面側より硬質接着材を注入することで、隙間に目地部を形成して固着させている。カウンターとシンクの表面側が目地部を挟んで略面一に形成されているため、目地部の表面の周辺の掃除がしやすく、美観にも優れたキッチンカウンターとされている。
【先行技術文献】
【特許文献】
【０００３】
【特許文献１】特開2008-154821号公報
【発明の概要】
【発明が解決しようとする課題】
【０００４】
ただ、特許文献１のキッチンカウンターでは、目地部とシンクのフランジ部との間の当接部の表面側から油や水等が浸入し、これによって、シンクの腐食、錆びが生じかねない場合があることが懸念された。特に、醤油等の塩分を含んだ調味料が隙間に侵入した場合には、シンクの腐食、錆びが進行しやすいため、キッチンカウンターの表面の外観をさらに良好に維持するための工夫が望まれていた。
【０００５】
本発明は、以上のとおりの事情に鑑みてなされたものであり、シンクの腐食、錆びの発生を抑制することができ、見栄えを良好に維持することができるキッチンカウンター構造を提供することを課題としている。
【課題を解決するための手段】
【０００６】
上記の課題を解決するために、本発明のキッチンカウンター構造は、開口部が設けられたカウンターと、上端外周にフランジ部を備え、前記カウンターの開口部に装着されている金属製のシンクとを有するキッチンカウンター構造であって、前記カウンターの開口部の内周縁と前記シンクのフランジ部とが対向配置され、相互の間には、常温硬化型樹脂が充填された目地部が形成されているとともに、目地部とフランジ部との当接部には、水膨張性樹脂が埋設されていることを特徴としている。
【０００７】
このキッチンカウンター構造においては、前記フランジ部は、水平部と、この水平部の端部から下向きに延びる折り返し片とを有し、この折り返し片の外周面の上端部より下方に水膨張性樹脂が固着されて埋設されていることが好ましい。
【０００８】
本発明のキッチンカウンター構造の形成方法は、開口部が設けられたカウンターと、上端外周にフランジ部を備え、前記カウンターの開口部に装着されている金属製のシンクとを有するキッチンカウンター構造の形成方法であって、（１）前記シンクのフランジ部の外周面に水膨張性樹脂を固着する工程と、（２）前記カウンターの開口部の内周縁と前記フランジ部とが隙間を介して対向するように前記カウンターの開口部に前記シンクを収納し、前記隙間に常温硬化型樹脂を充填して、前記水膨張性樹脂を内包する目地部を形成する工程とを含むことを特徴としている。
【０００９】
このキッチンカウンター構造の形成方法においては、前記フランジ部は、水平部と、この水平部の端部から下向きに延びる折り返し片とを有し、前記工程（１）において、前記折り返し片の外周面の上端部より下方に水膨張性樹脂を固着することが好ましい。
【発明の効果】
【００１０】
本発明のキッチンカウンター構造によれば、目地部とシンクのフランジ部との間の隙間に水等が浸入した場合にも、シンクの腐食、錆びの発生を抑制することができ、見栄えを良好に維持することができる。また、本発明のキッチンカウンター構造の形成方法によれば、目地部とフランジ部の折り返し片の当接部に水膨張性樹脂を確実に配置することができる。
【図面の簡単な説明】
【００１１】
【図１】（Ａ）は、本発明のキッチンカウンター構造の一実施形態を例示した斜視図であり、（Ｂ）は、（Ａ）の矢視断面図である。
【図２】（Ａ）（Ｂ）は、本発明のキッチンカウンター構造の形成方法の一実施形態を例示した概要図である。
【図３】本発明のキッチンカウンター構造の別の実施形態を例示した断面図である。
【発明を実施するための形態】
【００１２】
図１（Ａ）は、本発明のキッチンカウンター構造の一実施形態を例示した斜視図であり、図１（Ｂ）は、図１（Ａ）の矢視断面図である。
【００１３】
キッチンカウンター構造１は、カウンター２と、カウンター２の開口部２１に収納されたシンク３とを備え、カウンター２とシンク３の間には目地部４が形成されている。
【００１４】
カウンター２は、表面に開口部２１を有する平板状に形成されている。カウンター２は、金属製や、樹脂等の非金属製等の材料によって形成することができる。好ましくは、耐熱性の樹脂で成形された人造大理石を例示することができる。カウンター２の開口部２１には、シンク３が収納されている。
【００１５】
シンク３は、絞り成型された金属製とされている。なかでも、シンク３は、耐久性や防蝕性等の観点から、ステンレスであることが好ましい。シンク３の上端外周には、フランジ部３１が設けられている。フランジ部３１は、水平部３１aと、この水平部３１aから下方に延びる折り返し片３１bとを有している。折り返し片３１bは、フランジ部３１の強度を向上させ、変形等を抑制している。
【００１６】
カウンター２の開口部２１を形成する内周縁２２と、フランジ部３１の折り返し片３１bとが対向配置され、内周縁２２とフランジ部３１の折り返し片３１bとの間には目地部４が形成されている。カウンター２の表面とフランジ部３１の水平部３１aは、目地部４を介して略面一に形成されている。目地部４は、常温硬化型樹脂４１によって形成されている。常温硬化型樹脂４１は、常温で硬化状態の樹脂であり、例えば、エポキシ系、ウレタン系等の樹脂からなる主剤に硬化剤を混合して液状に生成されたものを例示することができる。常温硬化型樹脂４１には、所定時間経過後に常温で硬化するものや多少の加熱を加えて硬化させることができるものが含まれる。より具体的には、ビスフェノールＡ型のエポキシ樹脂、ウレタン変性エポキシ樹脂、無黄変や難黄変タイプのウレタン樹脂等の公知の樹脂を１種または２種以上組合せて使用することができる。常温硬化型樹脂４１は、美観、耐光性、接着力に優れ、適度な粘度を有する樹脂を適宜選択して使用することができる。図１に例示した形態では、常温硬化型樹脂４１は、目地部４を形成するとともに、カウンター２下方の桟材６付近まで充填され、シンク３のフランジ部３１の裏面側を覆い、カウンター２とシンク３を接合、固着している。
【００１７】
目地部４とフランジ部３１の折り返し片３１bとの間の接続部には、水膨張性樹脂５が埋設されている。水膨張性樹脂５は、折り返し片３１bの外周面（カウンター２の内周縁２２と対向する面）に沿って上端部より下方に固着されており、周囲が常温硬化型樹脂４１で覆われている。このため、水膨張性樹脂５は、目地部４の表面側には露出しておらず、見栄えが良好となっている。
【００１８】
水膨張性樹脂５は、吸水によって体積が膨張し、長時間に亘って乾燥収縮し難いものが好ましく、例えば、ポリビニルアルコール系のポバールの架橋物、アクリル系のポリアクリル酸ナトリウム架橋物、ウレタン系、デンプン系、セルロース系、ヒアルロン酸系の樹脂等の公知の材料を適宜使用することができる。さらに詳しくは、水膨張性樹脂５は、例えば、アクアプレン（三洋化成工業株式会社製）等を例示することができる。
【００１９】
キッチンカウンター構造１は、例えば、食器の洗浄等でシンク３を使用すると、飛び跳ねた水、油、調味料等が、目地部４とフランジ部３１の折り返し片３１bとの間の当接部７から内部へ進入する場合がある。この場合にも、目地部４とフランジ部３１の折り返し片３１bとの間の当接部７には、水膨張性樹脂５が埋設されているため、進入した水等は水膨張性樹脂５によって吸水される。これによって、水膨張性樹脂５は膨張し、水等の進入路（当接部７の一部）を閉鎖するため、水等の浸入が抑制される。したがって、シンク３の腐食、錆びの発生が確実に抑制される。また、時間の経過に伴って、膨張した水膨張性樹脂５は乾燥収縮し、再び水等と接触した場合に膨張し、水等の進入路を閉鎖し止水することができる。
【００２０】
図２は、本発明のキッチンカウンター構造の形成方法の一実施形態を例示した概要図である。
【００２１】
図２（Ａ）に例示したように、シンク３のフランジ部３１の折り返し片３１bの外周面に水膨張性樹脂５を固着する。水膨張性樹脂５は、その自己粘着性を利用して固着することもできるし、液状のまま塗布することもできる。また、適宜な接着剤を利用して固着することもできる。水膨張性樹脂５は、フランジ部３１の折り返し片３１bの上端部より下方に固着し、上端部では折り返し片３１bが外方に露出するようにしている。カウンター２の裏面には、開口部２１を形成する内周縁２２の内側に桟材６が略全周に亘って設けられている。カウンター２の開口部２１を形成する内周縁２２と、フランジ部３１の折り返し片３１bとが隙間Ｂを介して対向するように、カウンター２の開口部２１にシンク３を収納する。
【００２２】
そして、図２（Ｂ）に例示したように、この隙間Ｂに、カウンター２の裏面の桟材６の位置まで常温硬化型樹脂４１を充填して硬化させ、水膨張性樹脂５を内包する目地部４を形成する。目地部４の形成と同時に、カウンター２とシンク３とが接合、固着される。フランジ部３１の折り返し片３１bの外周面に水膨張性樹脂５が固着されているため、目地部４とフランジ部３１の折り返し片３１bとの当接部７の内方に水膨張性樹脂５を確実に配置することができる。カウンター２の表面、目地部４およびフランジ部３１の水平部３１aは、略面一に形成されており、キッチンカウンター構造１の表面の見栄えが良好となっている。また、常温硬化型樹脂４１は、シンク３のフランジ部３１の裏面側にも充填され、シンク３、カウンター２および桟材６が固着し、一体化している。カウンター２の裏面の桟材６は、常温硬化型樹脂４１を充填する際の堰としての機能も有し、充填した常温硬化型樹脂４１が流れ出ることを抑制している。
【００２３】
隙間Ｂへの常温硬化型樹脂４１の充填は、例えば、カウンター２とシンク３の上下を逆にして裏面側から行うことができる。さらに、この場合、適宜、シリコンパッキン等の部材を使用することができる。例えば、シリコンパッキン等で隙間Ｂを表面側から覆った後、裏面側から常温硬化型樹脂４１を充填することができる。シリコンパッキン等は、目地部４の形成後に、常温硬化型樹脂４１から容易に剥離させることができるため、目地部４の表面を滑らかに美しく仕上げることができる。
【００２４】
水膨張性樹脂５は、折り返し片３１bの外周面の上端部より下方に固着されているため、常温硬化型樹脂４１の充填に伴う目地部４の形成によって、目地部４と折り返し片３１bの当接部７に埋設された状態となっている。したがって、水膨張性樹脂５は目地部４の表面側には露出しておらず、見栄えが良好になっている。
【００２５】
本発明の形成方法によって形成されたキッチンカウンター構造１は、上記の通り、目地部４とフランジ部３１の折り返し片３１bとの間の当接部７には、水膨張性樹脂５が埋設されているため、進入した水等は水膨張性樹脂５によって吸水される。これによって、水膨張性樹脂５は膨張し、水等の進入路を閉鎖するため、水等の浸入が抑制され、シンク３の腐食、錆びの発生が確実に抑制される。
【００２６】
図３は、本発明のキッチンカウンター構造の別の実施形態を例示した断面図である。図１と共通する部分には、同一の符号を付し、以下では説明を省略する。
【００２７】
シンク３の上端外周には、略水平なフランジ部３１が設けられている。フランジ部３１と、カウンター２の開口部２１の内周縁２２とが対向配置され、相互の間には、常温硬化型樹脂４１が充填された目地部４が形成されている。フランジ部３１の裏面（外周面）には、目地部４との当接部７に水膨張性樹脂５が埋設されている。このため、フランジ部３１と目地部４との間の当接部７へ進入した水等は水膨張性樹脂５によって吸水される。これによって、水膨張性樹脂５は膨張し、水等の進入路を閉鎖するため、水等の浸入が抑制される。したがって、シンク３の腐食、錆びの発生が確実に抑制される。
【００２８】
また、図３に例示した形態のキッチンカウンター構造を形成する場合には、図２で示した方法と同様の方法を採用することができる。具体的には、フランジ部３１の裏面（外周面）に水膨張性樹脂５を固着し、カウンター２の開口部２１の内周縁２２との間の隙間に常温硬化型樹脂４１を充填することができる。これによって、水膨張性樹脂５を内包する目地部４を形成すると同時に、カウンター２とシンク３とが接合、固着される。
【００２９】
本発明のキッチンカウンター構造およびキッチンカウンター構造の形成方法は以上の形態に限定されることはない。例えば、フランジ部の形状や水膨張性樹脂の配設位置等は適宜設計することができる。
【符号の説明】
【００３０】
１    キッチンカウンター構造
２    カウンター
２１  開口部
２２  内周縁
３    シンク
３１  フランジ部
３１a  水平部
３１b  折り返し片
４    目地部
４１  常温硬化型樹脂
５    水膨張性樹脂
７    当接部
【図１】
0005503581.tif 000002
【図２】
0005503581.tif 000003
【図３】
0005503581.tif 000004